(57)【要約】【課題】  接着剤の粘膜側への流出を防止し、接着剤中で繁殖している細菌に起因したインプラント周囲粘膜炎やインプラント周囲炎のリスクを減少させることができるインプラントを提供すること。【解決手段】  顎骨に螺合される雄ネジ部と粘膜を貫通し外部に突出される支柱部とからなるフィクスチャと、上記支柱部により貫通される貫通孔が形成され該貫通孔の少なくともフィクスチャ側部分が上記支柱部の雄ネジ部側部分に圧入されることにより上記フィクスチャに固定されるインプラントポストと、を具備し、上記フィクスチャの支柱部の反雄ネジ部側部分と上記インプラントポストの貫通孔の反フィクスチャ側部分との間には接着剤充填用隙間が設けられていることを特徴とするもの。【選択図】図１
2018094280.tif 000002
【特許請求の範囲】
【請求項１】
顎骨に螺合される雄ネジ部と粘膜を貫通し外部に突出される支柱部とからなるフィクスチャと、
上記支柱部により貫通される貫通孔が形成され該貫通孔の少なくともフィクスチャ側部分が上記支柱部の雄ネジ部側部分に圧入されることにより上記フィクスチャに固定されるインプラントポストと、
を具備し、
上記フィクスチャの支柱部の反雄ネジ部側部分と上記インプラントポストの貫通孔の反フィクスチャ側部分との間には接着剤充填用隙間が設けられていることを特徴とするインプラント。
【請求項２】
請求項１記載のインプラントにおいて、
上記接着剤充填用隙間の少なくとも一部は凸凹状に形成されていることを特徴とするインプラント。
【請求項３】
請求項２記載のインプラントにおいて、
上記フィクスチャの支柱部の反雄ネジ部側部分と上記インプラントポストの貫通孔の反フィクスチャ側部分の少なくとも一方には凹凸が形成されていることを特徴とするインプラント。
【請求項４】
請求項１〜請求項３の何れかに記載のインプラントにおいて、
上記フィクスチャの支柱部と上記インプラントポストの貫通孔は多角形形状をなしていることを特徴とするインプラント。
【請求項５】
請求項４記載のインプラントにおいて、
上記フィクスチャの支柱部の反雄ネジ部側部分は雄ネジ部側部分以上の角数の多角形形状であり、
上記インプラントポストの貫通孔の反フィクスチャ側部分はフィクスチャ側部分以上の角数の多角形形状であることを特徴とするインプラント。
【請求項６】
請求項１〜請求項５の何れかに記載のインプラントにおいて、
上記フィクスチャの上記雄ネジ部と上記支柱部との間には治具によって把持される被把持部が設けられていることを特徴とするインプラント。
【請求項７】
請求項６記載のインプラントにおいて、
上記被把持部の雄ネジ部側には雄ネジ部より大径の円柱形状部が形成されていることを特徴とするインプラント。
【発明の詳細な説明】
【技術分野】
【０００１】
本発明は、例えば、歯科用のインプラントに係り、特に、接着剤の粘膜側への流出を防止し、接着剤中で繁殖している細菌に起因したインプラント周囲粘膜炎やインプラント周囲炎のリスクを減少させることができるように工夫したものに関する。
【背景技術】
【０００２】
従来のインプラントを開示するものとして、例えば、特許文献１、等がある。
特許文献１に記載されたインプラントは、人工歯根部と、この人工歯根部に固着されるアバットメントと、から構成されている。
上記人工歯根部は、例えば、チタン製であり、顎骨に螺合される雄ネジ部が形成された歯根部本体と、この歯根部本体の基端側から軸方向に突出される支柱部と、この支柱部の基端部に設けられた略器形状の受部と、から構成されている。
上記アバットメントは、例えば、レジン製であり、上記人工歯根部の支柱部によって貫通される貫通孔が形成されている。また、上記アバットメントの下端側は上記受部に対応した形状となっている。上記アバットメントには、人工の歯であるクラウンが固着される。
【０００３】
特許文献１に記載されたインプラントは、次のようにして用いられる。
まず、顎骨に下穴をあけ、この下穴に上記人工歯根部を螺合・設置する。それにより上記人工歯根部の支柱部と受部が粘膜を貫通した状態となる。
次に、上記人工歯根部に上記アバットメントを取り付ける。すなわち、上記アバットメントの貫通孔に上記人工歯根部の支柱部を圧入させ、上記アバットメントの下端と上記人工歯根部の受部が当接するまで押し込む。
なお、特許文献１には記載されていないが、上記人工歯根部に上記アバットメントを確実に固定するために接着剤が塗布されていて、その状態で上記アバットメントが上記人工歯根部に圧入される。
次に、上記アバットメントに人工の歯であるクラウンを被冠させる。
【先行技術文献】
【特許文献】
【０００４】
【特許文献１】特許第５４８７４１５号公報
【発明の概要】
【発明が解決しようとする課題】
【０００５】
上記従来の構成によると次のような問題があった。
上記したように、上記人工歯根部と上記アバットメントを確実に固定するために接着剤を用いるが、上記アバットメントを上記人工歯根部に圧入する際、余剰の接着剤がアバットメントに掻き出されて粘膜側に流出してしまうことが懸念される。上記接着剤は吸水性であり細菌が繁殖しやすく、上記接着剤が粘膜側に流出するとそこに含まれている細菌によってインプラント周囲粘膜炎やインプラント周囲炎のリスクが高まってしまうという問題があった。
【０００６】
本願発明はこのような点に基づいてなされたもので、その目的とするところは、接着剤の粘膜側への流出を防止し、接着剤中で繁殖している細菌に起因したインプラント周囲粘膜炎やインプラント周囲炎のリスクを減少させることができるインプラントを提供することにある。
【課題を解決するための手段】
【０００７】
上記課題を解決するべく請求項１記載のインプラントは、顎骨に螺合される雄ネジ部と粘膜を貫通し外部に突出される支柱部とからなるフィクスチャと、上記支柱部により貫通される貫通孔が形成され該貫通孔の少なくともフィクスチャ側部分が上記支柱部の雄ネジ部側部分に圧入されることにより上記フィクスチャに固定されるインプラントポストと、を具備し、上記フィクスチャの支柱部の反雄ネジ部側部分と上記インプラントポストの貫通孔の反フィクスチャ側部分との間には接着剤充填用隙間が設けられていることを特徴とするものである。
又、請求項２記載のインプラントは、請求項１記載のインプラントにおいて、上記接着剤充填用隙間の少なくとも一部は凸凹状に形成されていることを特徴とするものである。
又、請求項３記載のインプラントは、請求項２記載のインプラントにおいて、上記フィクスチャの支柱部の反雄ネジ部側部分と上記インプラントポストの貫通孔の反フィクスチャ側部分の少なくとも一方には凹凸が形成されていることを特徴とするものである。
又、請求項４記載のインプラントは、請求項１〜請求項３の何れかに記載のインプラントにおいて、上記フィクスチャの支柱部と上記インプラントポストの貫通孔は多角形形状をなしていることを特徴とするものである。
又、請求項５記載のインプラントは、請求項４記載のインプラントにおいて、上記フィクスチャの支柱部の反雄ネジ部側部分は雄ネジ部側部分以上の角数の多角形形状であり、上記インプラントポストの貫通孔の反フィクスチャ側部分はフィクスチャ側部分以上の角数の多角形形状であることを特徴とするものである。
又、請求項６記載のインプラントは、請求項１〜請求項５の何れかに記載のインプラントにおいて、上記フィクスチャの上記雄ネジ部と上記支柱部との間には治具によって把持される被把持部が設けられていることを特徴とするものである。
又、請求項７記載のインプラントは、請求項６記載のインプラントにおいて、上記被把持部の雄ネジ部側には雄ネジ部より大径の円柱形状部が形成されていることを特徴とするものである。
【発明の効果】
【０００８】
以上述べたように、請求項１記載のインプラントは、顎骨に螺合される雄ネジ部と粘膜を貫通し外部に突出される支柱部とからなるフィクスチャと、上記支柱部により貫通される貫通孔が形成され該貫通孔の少なくともフィクスチャ側部分が上記支柱部の雄ネジ部側部分に圧入されることにより上記フィクスチャに固定されるインプラントポストと、を具備し、上記フィクスチャの支柱部の反雄ネジ部側部分と上記インプラントポストの貫通孔の反フィクスチャ側部分との間には接着剤充填用隙間が設けられているので、上記フィクスチャの支柱部が上記インプラントポストの貫通孔に圧入された部分によって上記インプラントポスト側から粘膜側への上記接着剤の流出を防止でき、これにより粘膜側に流出した接着剤に繁殖する細菌に起因するインプラント周囲粘膜炎やインプラント周囲炎のリスクを減少させることができる。また、上記インプラントポストを設置した後に上記インプラントポストの貫通孔と上記フィクスチャの支柱部の間の隙間に反雄ネジ部側から容易に接着剤を充填させることができる。このことによって、インプラントポスト設置前にフィクスチャに接着剤を塗布した後に上記インプラントポストを取り付ける場合に生じるような接着剤の漏れがない構成となっている。
又、請求項２記載のインプラントは、請求項１記載のインプラントにおいて、上記接着剤充填用隙間の少なくとも一部は凸凹状に形成されているので、これら凹凸部の隙間に浸入し固化された接着剤によって上記フィクスチャと上記インプラントポストを強固に固定できる。
又、請求項３記載のインプラントは、請求項２記載のインプラントにおいて、上記フィクスチャの支柱部の反雄ネジ部側部分と上記インプラントポストの貫通孔の反フィクスチャ側部分の少なくとも一方には凹凸が形成されているので、簡易な構成により上記フィクスチャと上記インプラントポストを強固に固定できる。
又、請求項４記載のインプラントは、請求項１〜請求項３の何れかに記載のインプラントにおいて、上記フィクスチャの支柱部と上記インプラントポストの貫通孔は多角形形状をなしているので、簡易な構成により上記フィクスチャと上記インプラントポストの回り止めを実現できる。
又、請求項５記載のインプラントは、請求項４記載のインプラントにおいて、上記フィクスチャの支柱部の反雄ネジ部側部分は雄ネジ部側部分以上の角数の多角形形状であり、上記インプラントポストの貫通孔の反フィクスチャ側部分はフィクスチャ側部分以上の角数の多角形形状であるので、上記フィクスチャの支柱部の反雄ネジ部側部分をその径に対して横断面面積が大きくなり、強度を高めることができる。
又、請求項６記載のインプラントは、請求項１〜請求項５の何れかに記載のインプラントにおいて、上記フィクスチャの上記雄ネジ部と上記支柱部との間には治具によって把持される被把持部が設けられているので、上記フィクスチャを容易に設置又は除去することができる。
又、請求項７記載のインプラントは、請求項６記載のインプラントにおいて、上記被把持部の雄ネジ部側には雄ネジ部より大径の円柱形状部が形成されているので、この円柱形状部において顎骨との隙間を小さくし、上記顎骨と上記雄ネジ部との間の隙間に上記顎骨の再生を阻害する軟組織が侵入してしまうことを防止できる。
【図面の簡単な説明】
【０００９】
【図１】本発明の一実施の形態を示す図で、インプラントの使用状態を示す正面図である。
【図２】本発明の一実施の形態を示す図で、図２（ａ）はフィクスチャの正面図、図２（ｂ）は図２（ａ）のＩＩｂ−ＩＩｂ矢視図である。
【図３】本発明の一実施の形態を示す図で、図３（ａ）はインプラントポストの正面図、図３（ｂ）は図３（ａ）のＩＩＩｂ−ＩＩＩｂ断面図である。
【図４】本発明の一実施の形態を示す図で、顎骨に螺合させたフィクスチャにインプラントポストを設置した状態を示す図で、上記インプラントポストを上記フィクスチャの支柱部に目一杯圧入した状態を示す図である。
【図５】本発明の一実施の形態を示す図で、顎骨に螺合させたフィクスチャにインプラントポストを設置した状態を示す図で、上記インプラントポストを上記フィクスチャの支柱部の先端部に圧入した状態を示す図である。
【図６】本発明の一実施の形態を示す図で、図６（ａ）はフィクスチャの支柱部にインプラントポストを設置した状態を示す断面図、図６（ｂ）は図６（ａ）のＶＩｂ部の拡大図である。
【図７】本発明の一実施の形態を示す図で、図７（ａ）はインプラントポストの変形例を示す正面図、図７（ｂ）はインプラントポストの変形例を示す正面図、図７（ｃ）はインプラントポストの変形例を示す正面図である。
【発明を実施するための形態】
【００１０】
以下、図１乃至図７を参照して、本発明の一実施の形態を説明する。
この一実施の形態によるインプラント１は、図１に示すように、フィクスチャ３と、このフィクスチャ３に取り付けられるインプラントポスト５と、から構成されている。上記フィクスチャ３は、例えば、顎骨７に形成された下穴９の雌ねじ部に螺合され、そこに上記インプラントポスト５が取り付けられ、さらに、そのインプラントポスト５に人工の歯であるクラウン（図１中仮想線で示す）１１が被冠・固定される。
【００１１】
上記フィクスチャ３は、例えば、チタン製であり、図２（ａ）に示すように、雄ねじ部１３を有していて、この雄ねじ部１３が上記顎骨７に形成された下穴９の雌ねじ部に螺合される。
なお、上記雌ねじ部は下穴９に予め形成されていることになるが、上記雄ねじ部１３にセルフタップ機能を持たせるようにしてもよい。
上記雄ねじ部１３の図２（ａ）中上側にはテーパ部１４を挟んで円柱形状部１５が形成されている。この円柱形状部１５の外径は上記雄ねじ部１３の外径以上に設定されている。上記下穴９の上端には若干大径に形成されておりそこに上記円柱形状部１５が着座される。それによって、上記下穴９内への軟組織の侵入を防止している。仮に、上記軟組織が上記下穴９内に侵入してしまうと、上記軟組織によって上記下穴９内での上記顎骨７の再生が阻害されてしまう。
【００１２】
また、上記円柱形状部１５の図２（ａ）中上側には被把持部１７が形成されている。この被把持部１７は、図２（ｂ）に示すように、多角柱（この一実施の形態の場合は６角柱）形状をなしていて、上記フィクスチャ３を上記顎骨７に螺合させる際や、上記フィクスチャ３を上記顎骨７から撤去する際に、図示しない治具によって把持される。
【００１３】
また、上記被把持部１７の図２（ａ）中上側には、支柱部１９が形成されている。この支柱部１９は、図２（ｂ）に示すように多角柱（例えば、この一実施の形態の場合は６角柱）形状をなしている。また、図２（ａ）に示すように、上記支柱部１９の基端側（図２（ａ）中下端側）の外周面は、凹凸が設けられていない滑面部２１となっており、一方、先端側（図２（ａ）中上端側）の外周面は、複数の環状の凹凸が形成された粗面部２３となっている。上記支柱部１９は上記雄ネジ部１３よりも小径となっている。また、上記滑面部２１よりも上記粗面部２３の方が、僅かに小径となっている。
なお、上記フィクスチャ３の寸法は、一例として、全長（図２（ａ）中上下方向の大きさ）が１８ｍｍ、雄ネジ部１３の外径が３ｍｍ、上記支柱部１９の高さ（図２（ａ）中上下方向の大きさ）が８ｍｍ、上記支柱部１９の粗面部２３は先端（図２（ａ）中上端）から４ｍｍまでの範囲となっている。
【００１４】
上記インプラントポスト５は、例えば、ＰＥＥＫ（Ｐｏｌｙ  Ｅｔｈｅｒ  Ｅｔｈｅｒ  Ｋｅｔｏｎｅ、ポリエーテルエーテルケトン）製であり、図３（ａ）に示すように、基端部２５と、この基端部２５の上に形成されたクラウン装着部２７と、から構成されている。上記基端部２５は基端側（図３中下側）に向かって縮径されていて、上記クラウン装着部２７との境界部は鍔部２５ａとなっている。上記クラウン装着部２７は先端側（図３（ａ）中上側）に向かって縮径される略円錐台形状をなしている。
【００１５】
また、図３（ｂ）に示すように、上記インプラントポスト５には、軸方向（図３（ｂ）中上下方向）に延長された貫通孔２９が形成されている。この貫通孔２９は、上記フィクスチャ３の支柱部１９の横断面形状に対応した多角形（この一実施の形態の場合は六角形）の横断面形状をなしている。
【００１６】
また、図３（ｂ）に示すように、上記貫通孔２９の基端側（図３（ｂ）中下側）の内周面は凹凸が設けられていない滑面部３１となっており、上記貫通孔２９の先端側（図３（ｂ）中上側）の内周面は複数の環状の凹凸が形成された粗面部３３となっている。上記滑面部３１よりも、上記粗面部３３の方が僅かに大径となっている。
上記インプラントポスト５が上記支柱１９に取り付けられる際、図１に示すように、上記貫通孔２９の上記滑面部３１に上記支柱１９の上記滑面部２１が圧入されて、上記インプラントポスト５が上記支柱１９に取り付けられることになる。
なお、上記粗面部３３は、例えば、先端（図３（ｂ）中上端）から４ｍｍまでの範囲となっている。
また、例えば、図１に示すように、上記支柱部１９と上記貫通孔２９との間の先端側（図１中上側）には接着剤充填用隙間３４が形成される。
【００１７】
また、図４、図５に示すように、上記フィクスチャ３を上記顎骨７に螺合させる深さや粘膜３５の厚さ等によって、上記インプラントポスト５の滑面部３１に対する上記支柱１９の滑面部２１の圧入量が異なる。
ちなみに、図４、図５に示す場合は粘膜３５の厚さが異なっている。
図４に示すように、上記インプラントポスト５を目一杯圧入する場合には、上記支柱部１９の先端側（図４中上側）が上記インプラントポスト５の図４中上側に突出されてしまうが、その突出された部分（図４中仮想線で示す）は、例えば、切削によって除去される。一方、図５に示すように、上記スンプラントポスト５の滑面部３１を支柱部１９の滑面部２１に目一杯圧入しない場合には、上記インプラントポスト５の貫通孔２９の図５中上側に空間３９が生じることになる。
【００１８】
上記フィクスチャ３に上記インプラントポスト５を取り付けた後、上記接着剤充填用隙間３４内に接着剤３７が充填される。その後所定の養生期間を経て確実に固定される。
なお、図５に示す場合には、上記空間３９にも上記接着剤３７が充填される。
【００１９】
上記接着剤３７は、図示しない２種類の液体材料を混合して、所定の時間が経過することで固化されるものである。また、上記図示しない２種類の液体材料の混合比率によって、その粘性を調整することができる。この一実施の形態の場合は、固化していない状態の上記接着剤３７の流動性が高くなるように調整される。これにより、接着剤充填用隙間３４に上記接着剤３７を確実に充填することができる。
【００２０】
なお、上記支柱部１９の滑面部２１に上記インプラントポスト５の滑面部３１が圧入された部分には隙間がなく、よって、上記接着剤充填用隙間３４に充填された接着剤３７がその圧入された側に流入することはない。これにより、上記接着剤３７の粘膜３５側への漏れを防止している。
【００２１】
上記支柱部１９と上記インプラントポスト５の間から粘膜３５側への上記接着剤３７の漏れを防止することで、漏れ出した上記接着剤３７に歯周病菌等が繁殖することに起因する粘膜３５側でのインプラント周囲粘膜炎やインプラント周囲炎のリスクを減少させることができる。
また、圧入部分には隙間がないことから、歯周病菌等のインプラント１内部への進入を防止することができる。
【００２２】
また、インプラントポスト５の形状には、図７（ａ）乃至図７（ｃ）に示すように様々な変形例が考えられる。何れも上記貫通孔２９内の構成及び上記支柱部１９との隙間の大きさについては、前記したものと同様となっている。
【００２３】
次に、この一実施の形態による作用を説明する。
インプラント１の顎骨７への設置作業は、次のようにして行われる。
まず、上記顎骨７に、図示しないドリルによって下穴９が穿孔される。
次に、上記下穴９にフィクスチャ３の雄ネジ部１３を螺合させて、上記顎骨７に上記フィクスチャ３を設置する。このとき、図示しない治具によって被把持部１７を掴み、上記フィクスチャ３を回転させることで、上記雄ネジ部１３の螺合を行う。
【００２４】
次に、インプラントポスト５を上記フィクスチャ３の支柱部１９に設置する。このとき、上記インプラントポスト５の貫通孔２９の滑面部３１内に上記フィクスチャ３の支柱部１９の滑面部２１を圧入し、図４、図５に示すように、所定の高さ（図４又は図５中上下方向の位置）に設置する。
次に、上記支柱部１９の先端側が上記インプラントポスト５から突出すれば、この突出した部分を切削して除去する。
【００２５】
次に、図示しない２種類の液体材料を所定の比率で混合して、流動性の高い接着剤３７を調製する。
次に、上記接着剤３７を図４、図５中上側から上記フィクスチャ３の支柱部１９と上記インプラントポスト５の貫通孔２９との間の接着剤充填用隙間３４に充填する。図５に示すように、上記インプラントポスト５の貫通孔２９の上側に空間３９が生じる場合は、この空間３９にも上記接着剤３７を充填する。
上記貫通孔２９の滑面部３１に上記支柱部１９の滑面部２１を圧入しているので、充填した接着剤３７が上記圧入側に流入することはなく、また、プラントポスト５の図４、図５中下側から粘膜３５側へと漏れ出てしまうこともない。当然のことながら、歯周病菌等がインプラント１内部への進入することもない。
【００２６】
次に、所定期間養生した後、上記インプラントポスト５のクラウン装着部２７に、図示しない接着剤を塗布し、クラウン１１を装着する。
【００２７】
次に、この一実施の形態による効果を説明する。
まず、フィクスチャ３にインプラントポスト５を固定する際、上記インプラントポスト５の貫通孔２９の滑面部３１に上記フィクスチャ３の支柱部１９の滑面部２１を圧入するようにし該圧入部への接着剤３７の流入を規制しているので、上記支柱部１９と上記インプラントポスト５のとの間の接着剤充填用隙間３４に充填された接着剤３７が粘膜３５側へ漏れ出ることを防止することができ、それによって、接着剤３７に繁殖する歯周病菌等に起因するインプラント周囲粘膜炎やインプラント周囲炎のリスクを減少させることができる。
そもそも、本願発明の場合には、従来のように、支柱部１９に接着剤３７を塗布した後、インプラントポスト５を圧入するのではなく、圧入後に、接着剤充填用隙間３４に接着剤３７を充填するようにしているので、余分な接着剤３７が粘膜３５側に掻き出されるようなこともない。
【００２８】
また、上記フィクスチャ３の支柱部１９の径は、図６（ｂ）中下側に配置されている滑面部２１よりも、図６（ｂ）中上側に配置されている粗面部２３の方が小さく設定されていて、上記インプラントポスト５の貫通孔２９の径は、図６（ｂ）中下側に配置されている滑面部３１よりも、図６（ｂ）中上側に配置されている粗面部３３の方が大きく設定されているので、簡易な構成により上記接着剤充填用隙間３４を形成することができる。
【００２９】
また、上記支柱部１９と上記貫通孔２９との間の隙間の大きさが２段階に変化するように構成されているため、簡易な構成により、インプラント周囲粘膜炎やインプラント周囲炎のリスクを減少させることができる。
また、上記支柱部１９と貫通孔２９は、多角形（この一実施の形態の場合は六角形）の横断面形状となっているので、簡易な構成により上記フィクスチャ３と上記インプラントポスト５の回り止めを実現できる。
【００３０】
また、上記支柱部１９の先端側（図２（ａ）中上端側）は、複数個の環状の凹凸が形成された粗面部２３となっており、上記貫通孔２９の先端側（図３（ｂ）中上側）も複数の環状の凹凸が形成された粗面部３３となっているので、上記粗面部２３と上記粗面部３３との隙間に接着剤３７が浸入して固化することで上記フィクスチャ３と上記インプラントポスト５を強固に固定することができる。
【００３１】
また、上記フィクスチャ３には被把持部１７が形成されているので、図示しない治具によって上記フィクスチャ３を容易に設置又は除去することができる。
また、上記支柱部１９は上記雄ネジ部１３よりも小径となっているので、上記支柱部１９に応力が集中し、仮に上記フィクスチャ３が破損したとしても上記支柱部１９が破損するだけとなり、顎骨７に螺合された上記雄ネジ部１３の破損が防止され、これにより、破損した場合であっても上記フィクスチャ３の撤去を容易に行うことができる。上記被把持部１７は、上記支柱部１９が破損した際の上記フィクスチャ３の撤去においても効果的である。
【００３２】
また、上記フィクスチャ３には円柱形状部１５が形成されているので、この円柱形状部１５において顎骨７の下穴９との隙間を小さくし、上記下穴９内での上記顎骨７の再生を阻害する軟組織の侵入を防止できる。
【００３３】
なお、本願発明は、前記一実施の形態に限定されない。
支柱部の基端側よりも先端側をより角数の多い多角柱形状とすることも考えられる。例えば、基端側を六角柱、先端側を十二角柱とすることが考えられる。このような構成とすると、上記支柱部の先端側は、その径に対して横断面面積が大きくなるので、強度を高めることができる。
また、接着剤充填用隙間が、図６（ａ）中下側から上側に向かって徐々に広くなるように構成する、或いは、段階的に広くなるように構成する、場合も考えられる。
また、圧入部についてもテーパ状にする等様々な構成が考えられる。
また、フィクスチャの支柱部の先端側の径を小さくすることのみによって接着剤充填用隙間を形成する場合や、インプラントポストの貫通孔の先端側の径を大きくすることのみによって接着剤充填用隙間を形成する場合も考えられる。
また、凹凸がフィクスチャの支柱部とインプラントポストの貫通孔の何れか一方に設けられている場合も考えられる。この場合は、構成がより簡易なものとなる。
また、インプラントポストの材質は、様々な場合が考えられる。特に、高分子ポリマーで弾性のあるものは、フィクスチャの支柱部への圧入が容易である。
その他、各構成要素の形状、大きさ、材質などは一例であり、上記一実施の形態に記載されるものではない。
【産業上の利用可能性】
【００３４】
本発明は、例えば、歯科用のインプラントに係り、特に、接着剤の粘膜側への流出を防止し、接着剤中で繁殖している細菌に起因したインプラント周囲粘膜炎やインプラント周囲炎のリスクを減少させることができるように工夫したものに係り、例えば、ヒトの顎骨に装着されるインプラントに好適である。
【符号の説明】
【００３５】
１  インプラント
３  フィクスチャ
５  インプラントポスト
１３  雄ネジ部
１５  円柱形状部
１７  被把持部
１９  支柱部
２１  滑面部（支柱部の雄ネジ部側部分）
２３  粗面部（支柱部の反雄ネジ部側部分）
２９  貫通孔
３１  滑面部（貫通孔のフィクスチャ側部分）
３３  粗面部（貫通孔の反フィクスチャ側部分）
３４  接着剤充填用隙間
【図１】
2018094280.tif 000003
【図２】
2018094280.tif 000004
【図３】
2018094280.tif 000005
【図４】
2018094280.tif 000006
【図５】
2018094280.tif 000007
【図６】
2018094280.tif 000008
【図７】
2018094280.tif 000009